(57)【要約】【課題】間欠受信制御が適用されている場合に、周辺セルの測定及びハンドオーバを適切に行う。【解決手段】本発明に係る移動局ＵＥは、無線基地局ｅＮＢから、サービングセル及び周辺セルにおける無線品質を測定する測定部１３と、かかる測定結果をフィルタリングするフィルタリング部１４と、フィルタリング後の測定結果を通知すべきか否かについて判定する判定部１５とを具備し、移動局ＵＥが、間欠受信状態である場合に、フィルタリング部１４は、上述の測定結果をフィルタリングするためのフィルタ係数の値を調整する。【選択図】図４
2010226540.tif 000002
【特許請求の範囲】
【請求項１】
無線基地局と通信する移動局であって、
前記移動局におけるサービングセル及び周辺セルの無線品質を測定するように構成されている測定部と、
前記測定結果を、所定の係数を用いてフィルタリングするように構成されているフィルタリング部と、
前記フィルタリングされた測定結果を通知すべきか否かについて判定するように構成されている判定部と、
前記判定部によって前記測定結果を送信すべきであると判定された場合、該測定結果を前記無線基地局に対して通知するように構成されている通知部とを具備し、
前記フィルタリング部は、前記移動局が間欠受信状態である場合に、前記所定の係数の値を調整するように構成されていることを特徴とする移動局。
【請求項２】
前記フィルタリング部は、非間欠受信状態における前記フィルタリングされた測定結果と、間欠受信状態における前記フィルタリングされた測定結果とが、時間的な平均化区間で同等になるように、前記所定の係数を調整することを特徴とする請求項１に記載の移動局。
【請求項３】
前記フィルタリング部は、非間欠受信状態において、前記無線基地局から通知された前記所定の係数に基づいて、前記フィルタリングを行い、間欠受信状態において、前記調整された後の所定の係数に基づいて、前記フィルタリングを行うように構成されていることを特徴とする請求項１に記載の移動局。  
【請求項４】
前記フィルタリング部は、非間欠受信状態における前記測定部による測定期間が、間欠受信状態における前記測定部による測定期間よりも小さい場合に、間欠受信状態において前記フィルタリングを行わないように構成されていることを特徴とする請求項１に記載の移動局。
【請求項５】
前記フィルタリング部は、測定タイミングに関するインデックスを「ｎ」とし、フィルタリング後の測定結果を「Ｆｎ」とし、前記所定の係数を「ｋ」とし、１つ前の測定タイミングにおけるフィルタリング後の測定結果を「Ｆｎ-１」とし、前記測定部における測定結果を「Ｍｎ」とした場合に、
Ｆｎ  ＝  （１−ａ）・Ｆｎ-１  ＋  ａ・Ｍｎ
ａ  ＝  １/２（ｋ/４）
に基づいて、前記フィルタリングを行うように構成されていることを特徴とする請求項１に記載の移動局。  
【請求項６】
移動局におけるサービングセル及び周辺セルの無線品質を測定する工程Ａと、
前記測定結果を、所定の係数を用いてフィルタリングする工程Ｂと、
前記フィルタリングされた測定結果を通知すべきか否かについて判定する工程Ｃと、
前記測定結果を送信すべきであると判定された場合、該測定結果を無線基地局に対して通知する工程Ｄとを有し、
前記工程Ｃにおいて、前記移動局が間欠受信状態である場合に、前記所定の係数の値を調整することを特徴とする移動通信方法。
【発明の詳細な説明】
【技術分野】
【０００１】
本発明は、移動局及び移動通信方法に関する。
【背景技術】
【０００２】
複数のセルを具備する移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えを「Ｍｏｂｉｌｉｔｙ制御」、より具体的には、「ハンドオーバ」という。
【０００３】
一般的に、移動通信システムでは、移動局ＵＥが、周辺セルに移動し、かかる移動局ＵＥにおいて、周辺セルからの信号の受信電力が、サービングセル（Ｓｅｒｖｉｎｇ  Ｃｅｌｌ）からの信号の受信電力よりも強くなった場合に、当該移動局ＵＥは、周辺セルにハンドオーバを行うように構成されている。
【０００４】
すなわち、移動局ＵＥは、サービングセルとの間でデータの送受信を行うと同時に、サービングセル及び周辺セルからの信号の受信電力を測定する必要がある。
【０００５】
なお、周辺セル又はサービングセルからの信号の受信電力は、例えば、周辺セル又はサービングセルから送信される「下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）」である（ＲＳＲＰの定義については、非特許文献１を参照）。
【０００６】
図１を参照して、かかるハンドオーバ手順の一例について、具体的に説明する。
【０００７】
図１に示すように、ステップＳ１において、移動局ＵＥは、サービングセル及び周辺セルからの信号の受信電力を測定する。
【０００８】
ステップＳ２において、移動局ＵＥは、周辺セルからの信号の受信電力が、以下の（式１）を満たすか否かについて判定する。
【０００９】
（周辺セルからの信号の受信電力）＋（ヒステリシス）＞（サービングセルからの信号の受信電力）  …  （式１）
かかる（式１）が満たされていると判定された場合、ステップＳ２において、移動局ＵＥは、上述の測定結果を報告するためのイベントＡ３を、ネットワークに対して通知する。
【００１０】
ここで、信号の受信電力（無線品質）Ｆｎとしては、以下の（式２）及び（式３）によって算出された値が用いられるものとする。
【００１１】
具体的には、移動局ＵＥにおいて、上位レイヤが、物理レイヤによる測定値に対して、（式２）に示すフィルタリング処理（Ｌ３  Ｆｉｌｔｅｒｉｎｇ）を行うように構成されている。
【００１２】
Ｆｎ  ＝  （１−ａ）・Ｆｎ-１  ＋  ａ・Ｍｎ  …  （式２）
ａ  ＝  １／２（ｋ/４）  …  （式３）
【００１３】
なお、（式３）における「ｋ」の値は、無線基地局から移動局ＵＥに対して事前に通知されているものとする。
【００１４】
また、（式２）において、「ｎ」は、測定タイミングに関するインデックスであり、「Ｆｎ」は、フィルタリング後の測定結果であり、「Ｆｎ-１」は、１つ前の測定タイミングにおけるフィルタリング後の測定結果であり、「Ｍｎ」は、前記測定部における測定結果である。
【００１５】
また、ステップＳ３において、ネットワークは、イベントＡ３の通知を受信すると、かかる移動局ＵＥが、受信したイベントＡ３に係るセルに対してハンドオーバすべきであることを決定する。
【００１６】
また、ＬＴＥ（Ｌｏｎｇ  Ｔｅｒｍ  Ｅｖｏｌｕｔｉｏｎ）方式の移動通信システムでは、間欠受信（ＤＲＸ：Ｄｉｓｃｏｎｔｉｎｕｏｕｓ  Ｒｅｃｅｐｔｉｏｎ）制御が適用されている。
【００１７】
かかる間欠受信制御は、無線基地局ｅＮＢと移動局ＵＥとが接続中であり、かつ、通信すべきデータが存在しない場合に適用され、間欠受信状態にある移動局ＵＥは、周期的に、すなわち、間欠的に、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介して送信される下り制御信号を受信するように構成されている。
【００１８】
かかるＰＤＣＣＨを介して送信される下り制御信号を受信する時間は、「Ｏｎ-ｄｕｒａｔｉｏｎ（ＯＮ区間、受信区間）」と呼ばれる。
【００１９】
かかる場合、移動局ＵＥは、全てのタイミングではなく、間欠的に、物理下りリンク制御チャネルＰＤＣＣＨを介して送信される下り制御信号を受信すればよいため、バッテリーの消費電力を低減することが可能となる。
【００２０】
より具体的には、移動局ＵＥは、図２に示すように、ＤＲＸ周期（図２の例では、１２８０ｍｓ）毎に設定される受信区間（図２の例では、５ｍｓ）においてのみ、物理下りリンク制御チャネルＰＤＣＣＨを介して送信される下り制御信号を受信し、それ以外の送受信機をＯＦＦとするように構成されている。その結果、移動局ＵＥにおいて、バッテリーの消費電力を低減することが可能となる。
【００２１】
なお、間欠受信状態においては、そのバッテリーの消費電力を低減するという効果を最大化するため、上述したサービングセル及び周辺セルからの信号の受信電力の測定頻度が低減される。
【先行技術文献】
【非特許文献】
【００２２】
【非特許文献１】３ＧＰＰ  ＴＳ３６.２１４  Ｖ８.５.０（２００８年１２月）
【発明の概要】
【発明が解決しようとする課題】
【００２３】
上述したように、ＬＴＥ方式の移動通信システムにおいては、無線基地局ｅＮＢと移動局ＵＥとが接続中である場合に、間欠受信制御が適用される。すなわち、各移動局ＵＥの状態として、通信すべきデータの有無に応じて、間欠受信状態及び非間欠受信状態の２種類の状態が存在する。
【００２４】
ここで、間欠受信状態である移動局ＵＥは、間欠受信制御によるバッテリーセービング効果を維持するため、一般に、間欠受信制御における受信区間においてのみ、サービングセル及び周辺セルの測定を行うように構成されている。
【００２５】
また、間欠受信状態におけるサービングセル及び周辺セルからの信号の受信電力の測定区間（以下、間欠受信状態における測定区間）は、一般に、非間欠受信状態におけるサービングセル及び周辺セルからの信号の受信電力の測定区間（以下、非間欠受信状態における測定区間）よりも長い。
【００２６】
これは、間欠受信状態においては、上述したように、移動局ＵＥは、受信区間においてのみ、サービングセル及び周辺セルからの信号の受信電力の測定を行うため、測定サンプル数が小さくなるという問題があり、その問題を解決するために、測定サンプル数を大きくし、測定精度を向上させる必要があるためである。
【００２７】
例えば、非間欠受信状態における測定区間は、２００ｍｓであるが、間欠受信状態における測定区間は、ＤＲＸ周期を５倍した値である。ここで、ＤＲＸ周期を５倍するとは、受信区間における測定結果の５個分を平均した値が、間欠受信状態における測定結果になるということと同義である。
【００２８】
しかしながら、非間欠受信状態と間欠受信状態との間で測定区間が異なることにより、上述したフィルタリング処理において、以下のような問題が生じる。
【００２９】
例えば、非間欠受信状態における「ｋ」の最適値が「４」である場合を考える。この場合、上述の（式２）は、以下のようになる。
【００３０】
Ｆｎ  ＝  ０.５・Ｆｎ-１  ＋  ０.５・Ｍｎ…  （式４）
【００３１】
これは、フィルタリング前の測定結果である「Ｍｎ」の寄与が半分であることに基づくと、おおよそのフィルタリング後の測定区間は、４００ｍｓとみなすことができる。かかる４００ｍｓは、２００ｍｓ÷０.５により算出される。
【００３２】
一方、間欠受信状態において、ＤＲＸ周期を１２８０ｍｓと仮定すると、上述の（式４）がそのまま適用された場合、おおよそのフィルタリング後の測定区間は、１２８００ｍｓとみなすことができる。かかる１２８００ｍｓは、６４００ｍｓ（１２８０ｍｓ×５）÷０.５により算出される。
【００３３】
一般に、ハンドオーバやその他のＭｏｂｉｌｉｔｙ制御において、ハンドオーバやその他のＭｏｂｉｌｉｔｙ制御を行うことを遅らせた場合、最適なセルとの通信を行うことができなくなるため、通信品質が劣化する。
【００３４】
よって、上述した間欠受信状態においては、測定結果の精度を向上させるために、ＤＲＸ周期を５倍した平均化区間で測定を行うという点は問題ないが、ＤＲＸ周期を５倍した平均化区間で測定された測定結果に対して、さらにフィルタリングを行うという処理は、上述したハンドオーバやその他のＭｏｂｉｌｉｔｙ制御の遅れを引き起こすため、問題となる。
【００３５】
そこで、本発明は、上述の課題に鑑みてなされたものであり、間欠受信制御が適用されている場合に、周辺セルの測定及びハンドオーバを適切に行うことを可能とする移動局及び移動通信方法を提供することを目的とする。
【課題を解決するための手段】
【００３６】
本発明の第１の特徴は、無線基地局と通信する移動局であって、前記移動局におけるサービングセル及び周辺セルの無線品質を測定するように構成されている測定部と、前記測定結果を、所定の係数を用いてフィルタリングするように構成されているフィルタリング部と、前記フィルタリングされた測定結果を通知すべきか否かについて判定するように構成されている判定部と、前記判定部によって前記測定結果を送信すべきであると判定された場合、該測定結果を前記無線基地局に対して通知するように構成されている通知部とを具備し、前記フィルタリング部は、前記移動局が間欠受信状態である場合に、前記所定の係数の値を調整するように構成されていることを要旨とする。
【００３７】
本発明の第１の特徴において、前記フィルタリング部は、非間欠受信状態における前記フィルタリングされた測定結果と、間欠受信状態における前記フィルタリングされた測定結果とが、時間的な平均化区間で同等になるように、前記所定の係数を調整してもよい。
【００３８】
本発明の第１の特徴において、前記フィルタリング部は、非間欠受信状態において、前記無線基地局から通知された前記所定の係数に基づいて、前記フィルタリングを行い、間欠受信状態において、前記調整された後の所定の係数に基づいて、前記フィルタリングを行うように構成されていてもよい。  
【００３９】
本発明の第１の特徴において、前記フィルタリング部は、非間欠受信状態における前記測定部による測定期間が、間欠受信状態における前記測定部による測定期間よりも小さい場合に、間欠受信状態において前記フィルタリングを行わないように構成されていてもよい。
【００４０】
本発明の第１の特徴において、前記フィルタリング部は、測定タイミングに関するインデックスを「ｎ」とし、フィルタリング後の測定結果を「Ｆｎ」とし、前記所定の係数を「ｋ」とし、１つ前の測定タイミングにおけるフィルタリング後の測定結果を「Ｆｎ-１」とし、前記測定部における測定結果を「Ｍｎ」とした場合に、
Ｆｎ  ＝  （１−ａ）・Ｆｎ-１  ＋  ａ・Ｍｎ
ａ  ＝  １/２（ｋ/４）
に基づいて、前記フィルタリングを行うように構成されていてもよい。  
【００４１】
本発明の第２の特徴は、移動通信方法であって、移動局におけるサービングセル及び周辺セルの無線品質を測定する工程Ａと、前記測定結果を、所定の係数を用いてフィルタリングする工程Ｂと、前記フィルタリングされた測定結果を通知すべきか否かについて判定する工程Ｃと、記測定結果を送信すべきであると判定された場合、該測定結果を無線基地局に対して通知する工程Ｄとを有し、前記工程Ｃにおいて、前記移動局が間欠受信状態である場合に、前記所定の係数の値を調整することを要旨とする。
【発明の効果】
【００４２】
以上説明したように、本発明によれば、間欠受信制御が適用されている場合に、周辺セルの測定及びハンドオーバを適切に行うことを可能とする移動局及び移動通信方法を提供することができる。
【図面の簡単な説明】
【００４３】
【図１】一般的なハンドオーバの動作を示すフローチャートである。
【図２】一般的な間欠受信状態の移動局の動作を説明するための図である。
【図３】本発明の第１の実施形態に係る移動通信システムの全体構成図である。
【図４】本発明の第１の実施形態に係る移動局の機能ブロック図である。
【図５】本発明の第１の実施形態に係る移動局の動作を示すフローチャートである。
【発明を実施するための形態】
【００４４】
（本発明の第１の実施形態に係る移動通信システムの構成）
図３乃至図４を参照して、本発明の第１の実施形態に係る移動通信システムの構成について説明する。
【００４５】
図３に示すように、本実施形態に係る移動通信システムは、ＬＴＥ方式の移動通信システムである。かかる移動通信システムでは、無線アクセス方式として、下りリンクについては「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用されることが検討されている。
【００４６】
ＯＦＤＭ方式は、特定の周波数帯域を複数の狭い周波数帯域（サブキャリア）に分割し、各周波数帯域上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００４７】
また、ＳＣ-ＦＤＭＡ方式は、特定の周波数帯域を分割し、複数の移動局ＵＥの間で異なる周波数帯域を用いて伝送することで、複数の移動局ＵＥの間における干渉を低減することができる伝送方式である。ＳＣ-ＦＤＭＡ方式によれば、送信電力の変動が小さくなる特徴を有することから、移動局ＵＥの低消費電力化及び広いカバレッジを実現することができる。
【００４８】
また、本実施形態に係る移動通信システムでは、無線基地局ｅＮＢが、物理下り制御チャネルＰＤＣＣＨを介して下り制御信号を送信し、物理下り共有データチャネルＰＤＳＣＨ（Ｐｈｙｓｉｃａｌ  Ｄｏｗｎｌｉｎｋ  Ｓｈａｒｅｄ  Ｃｈａｎｎｅｌ）を介して下りデータ信号を送信するように構成されている。
【００４９】
一方、本実施形態に係る移動通信システムでは、移動局ＵＥは、物理上り共有データチャネルＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信するように構成されている。
【００５０】
図４に示すように、移動局ＵＥは、状態管理部１１と、パラメータ取得部１２と、測定部１３と、フィルタリング部１４と、判定部１５と、通知部１６とを具備している。
【００５１】
状態管理部１１は、移動局ＵＥが間欠受信状態であるか否かについて管理するように構成されている。状態管理部１１は、移動局ＵＥが間欠受信状態であるか、非間欠受信状態であるかの情報を、フィルタリング部１４と判定部１５に通知する。
【００５２】
パラメータ取得部１２は、無線基地局ｅＮＢから、Ｍｏｂｉｌｉｔｙ制御に関するパラメータを取得するように構成されている。
【００５３】
例えば、後述するフィルタ係数は、かかるＭｏｂｉｌｉｔｙ制御に関するパラメータに含まれる。また、「Ｔｉｍｅ-ｔｏ-ｔｒｉｇｇｅｒ」やヒステリシスといったパラメータも、かかるＭｏｂｉｌｉｔｙ制御に関連するパラメータに含まれる。
【００５４】
パラメータ取得部１２は、上述のフィルタ係数を、フィルタリング部１４に通知するように構成されている。
【００５５】
測定部１３は、移動局ＵＥのサービングセル及び周辺セルにおける無線品質を測定するように構成されている。
【００５６】
例えば、測定部１３は、移動局ＵＥのサービングセル及び周辺セルにおける無線品質として、移動局ＵＥのサービングセル及び周辺セルからの信号（例えば、参照信号（ＲＳ：Ｒｅｆｅｒｅｎｃｅ  Ｓｉｇｎａｌ）等）の受信電力を測定するように構成されていてもよい。なお、かかる参照信号の受信電力は、ＲＳＲＰ（Ｒｅｆｅｒｅｎｃｅ  Ｓｉｇｎａｌ  Ｒｅｃｅｉｖｅｄ  Ｐｏｗｅｒ）と呼ばれてもよい。
【００５７】
例えば、非間欠受信の場合、物理レイヤでの測定区間（Ｍｅａｓｕｒｅｍｅｎｔ  ｐｅｒｉｏｄ）は、２００ｍｓであり、間欠受信の場合、ＤＲＸ周期を１２８０ｍｓと仮定した場合、物理レイヤでの測定区間（Ｍｅａｓｕｒｅｍｅｎｔ  ｐｅｒｉｏｄ）は、６４００ｍｓ（ＤＲＸ周期×５）である。なお、かかるＤＲＸ周期は、１２８０ｍｓに限定されることはなく、１２８０ｍｓ以外の値であってもよい。
【００５８】
以下に、測定区間を「ＤＲＸ周期×５」としている理由について示す。間欠受信の場合、一般に、上述の測定は、上述したＤＲＸ制御の受信区間（Ｏｎ-ｄｕｒａｔｉｏｎ）においてのみしか行われないため、測定サンプル数が小さく、測定精度が劣化するという問題がある。よって、測定区間を「ＤＲＸ周期×５」とすることにより、測定サンプル数を増やし、測定精度の向上が図られている。
【００５９】
また、測定部１３は、移動局ＵＥのサービングセル及び周辺セルにおける無線品質の測定結果をフィルタリング部１４に通知するように構成されている。
【００６０】
フィルタリング部１４は、測定部１３より、移動局ＵＥのサービングセル及び周辺セルにおける無線品質の測定結果を受け取り、パラメータ取得部１２より、フィルタ係数（所定の係数）を受け取り、当該測定結果及び当該フィルタ係数を用いて、フィルタリング結果を算出するように構成されている。
【００６１】
例えば、フィルタリング部１４は、測定タイミングに関するインデックスを「ｎ」とし、フィルタリング後の測定結果を「Ｆｎ」とし、フィルタ係数を「ｋ」とし、１つ前の測定タイミングにおけるフィルタリング後の測定結果を「Ｆｎ-１」とし、測定部１３における測定結果を「Ｍｎ」とした場合に、
Ｆｎ  ＝  （１−ａ）・Ｆｎ-１  ＋  ａ・Ｍｎ
ａ  ＝  １/２（ｋ/４）
に基づいて、フィルタリングを行うように構成されていてもよい。ここで、フィルタ係数は、「ｋ」ではなく、「ａ」であってもよい。
【００６２】
ここで、上述のフィルタリングでは、フィルタリング後の測定結果「Ｆｎ」を算出する際に、フィルタ係数「ａ」を調整することによって、最新の測定部１３における測定結果「Ｍｎ」及び過去のフィルタリング後の測定結果「Ｆｎ-１」の寄与率を調整するように構成されている。
【００６３】
そこで、非間欠受信状態の場合に、あまりにも測定期間が長く、過去のフィルタリング後の測定結果と現在のフィルタリング後の測定結果とが離れすぎている場合、過去のフィルタリング後の測定結果の寄与率を減らす（又は、なくす）ことが好ましい。
【００６４】
ここで、非間欠受信状態用のフィルタ係数が、「ｋ＝４（すなわち、ａ＝１/２）」である場合は、過去のフィルタリング後の測定結果及び現在のフィルタリング後の測定結果の寄与率は、それぞれ「５０％」である。
【００６５】
したがって、フィルタリング部１４は、例えば、間欠受信状態における測定期間が、「４００ｍｓ（非間欠受信状態における測定期間の２倍）」である場合は、間欠受信状態用のフィルタ係数を「ｋ＝８（すなわち、１-ａ＝３/４）」として、現在のフィルタリング後の測定結果の寄与率を上げるように構成されていてもよい。
【００６６】
このように、フィルタリング部１４は、非間欠受信状態においてフィルタリングされた測定結果と、間欠受信状態においてフィルタリングされた測定結果とが、時間的な平均化区間で同等になるように、間欠受信状態用のフィルタ係数を調整することができる。
【００６７】
例えば、フィルタリング部１４は、非間欠受信状態において、無線基地局ｅＮＢから通知されたフィルタ係数に基づいて、フィルタリングを行い、間欠受信状態において、上述のように調整された後のフィルタ係数に基づいて、フィルタリングを行うように構成されていてもよい。
【００６８】
なお、フィルタリング部１４は、前記所定のフィルタ係数を調整する場合に、後述する、「間欠受信の場合に、前記フィルタリングの処理を、非間欠受信と同等の、あるいは、同一の頻度で行い、各フィルタリングの処理で用いられるＭｎの値は、測定区間毎に更新する」という処理行った場合と同等の結果が得られるように、前記所定のフィルタ係数を調整してもよい。
【００６９】
また、例えば、フィルタリング部１４は、非間欠受信状態における測定区間が、間欠受信状態における測定区間よりも小さい場合に、間欠受信状態において、フィルタリングを行わないように構成されていてもよい。
【００７０】
例えば、フィルタリング部１４は、間欠受信状態において、フィルタ係数に対して、予め決められたＤＲＸ周期ごとの調整係数を掛け合わせることで、間欠受信状態用のフィルタ係数とし、かかる間欠受信状態用のフィルタ係数を用いて、測定タイミングに関するインデックスを「ｎ」とし、フィルタリング後の測定結果を「Ｆｎ」とし、間欠受信状態用のフィルタ係数を「ｋ」とし、１つ前の測定タイミングにおけるフィルタリング後の測定結果を「Ｆｎ-１」とし、測定部１３における測定結果を「Ｍｎ」とした場合に、
Ｆｎ  ＝  （１−ａ）・Ｆｎ-１  ＋  ａ・Ｍｎ
ａ  ＝  １/２（ｋ/４）
に基づいて、フィルタリングを行うこととしてもよい。
【００７１】
例えば、フィルタリング部１４は、間欠受信状態における測定区間（間欠受信状態における測定部１３での物理レイヤの平均化区間）と、非間欠受信状態における測定区間（非間欠受信状態における測定部１３での物理レイヤの平均化区間）とを比較して、間欠受信状態における測定区間が非間欠受信状態における測定区間よりも小さい場合に、非間欠受信状態用のフィルタ係数と同じフィルタ係数を用いて、フィルタリングを行い、間欠受信状態における測定区間が非間欠受信状態における測定区間よりも大きい場合に、間欠受信状態において、フィルタリングを行わないように構成されていてもよい。
【００７２】
或いは、フィルタリング部１４は、非間欠受信状態においてフィルタリングされた測定結果と、間欠受信状態においてフィルタリングされた測定結果とが、時間的な平均化区間で同等になるように、間欠受信状態におけるフィルタリング処理を、非間欠受信と状態におけるフィルタリング処理と同等の或いは同一の頻度で行ってもよい。
【００７３】
この場合、実際の測定が行われるまでは、「Ｍｎ」の値として、最新の測定部１３における測定結果が入力されることになる。
【００７４】
すなわち、ＤＲＸ周期に一度の頻度で存在するＤＲＸ制御の受信区間（Ｏｎ-ｄｕｒａｔｉｏｎ）で測定が行われる場合には、その次のＤＲＸ制御の受信区間（Ｏｎ-ｄｕｒａｔｉｏｎ）まで、直前の受信区間（Ｏｎ-ｄｕｒａｔｉｏｎ）での測定結果が、「Ｍｎ」の値として用いられる。
【００７５】
より具体的には、非間欠受信状態における測定区間を２００ｍｓとし、間欠受信状態における測定区間を６４００ｍｓとし、ＤＲＸ周期を１２８０ｍｓとすると、フィルタリング処理は、２００ｍｓ毎に行われ、フィルタリング処理における「Ｍｎ」の値は、ＤＲＸ周期毎、すなわち、１２８０ｍｓ毎に更新される。
【００７６】
この場合、１２８０ｍｓの間のフィルタリング処理では、直前のＤＲＸ制御の受信区間での測定結果が、「Ｍｎ」の値として用いられる。
【００７７】
すなわち、１２８０ｍｓの間に、６回のフィルタリング処理が行われるとすると、６回のフィルタリング処理の中で、同じ値（直前のＤＲＸ制御の受信区間での測定結果）が用いられる。
【００７８】
この場合、結果として、非間欠受信状態においてフィルタリングされた測定結果と、間欠受信状態においてフィルタリングされた測定結果とが、時間的な平均化区間という観点で同等になる。
【００７９】
判定部１５は、上述のフィルタリング１４により受け取った、フィルタリング後の測定結果（Ｍｅａｓｕｒｅｍｅｎｔ  Ｒｅｐｏｒｔ）を通知すべきか否かについて判定するように構成されている。
【００８０】
例えば、判定部１５は、所定期間以上継続して所定条件が満たされている場合に、上述の測定結果を通知すべきであると判定するように構成されていてもよい。ここで、判定部１５は、かかる所定条件を、上述の（式１）の条件としてもよい。かかる所定期間は、Ｔｉｍｅ-ｔｏ-ｔｒｉｇｇｅｒと呼ばれてもよい。
【００８１】
通知部１６は、判定部１５によって測定結果を送信すべきであると判定された場合、かかる測定結果を無線基地局ｅＮＢに対して通知するように構成されている。
【００８２】
具体的には、通知部１６は、物理上り共有チャネルＰＵＳＣＨを介して、かかる測定結果を無線基地局ｅＮＢに対して通知するように構成されている。かかる測定結果は、Ｍｅａｓｕｒｅｍｅｎｔ  Ｒｅｐｏｒｔと呼ばれてもよい。
【００８３】
（本発明の第１の実施形態に係る移動通信システムの動作）
図５を参照して、本発明の第１の実施形態に係る移動通信システムの動作について、具体的には、本発明の第１の実施形態に係る移動局ＵＥが上述のフィルタリングを行う動作について説明する。
【００８４】
図５に示すように、ステップＳ１０１において、移動局ＵＥは、間欠受信状態であるか否かについて判定する。
間欠受信状態であると判定された場合、ステップＳ１０２において、移動局ＵＥは、サービングセル及び周辺セルの無線品質を測定する。
【００８５】
ステップＳ１０３において、移動局ＵＥは、測定したサービングセル及び周辺セルの無線品質に無線基地局から通知されたフィルタ係数を調整した値を用いて、フィルタリングを行う。
【００８６】
間欠受信状態でないと判定された場合、ステップＳ１０４において、移動局ＵＥは、サービングセル及び周辺セルの無線品質を測定する。
【００８７】
ステップＳ１０５において、移動局ＵＥは、測定したサービングセル及び周辺セルの無線品質に無線基地局から通知されたフィルタ係数を用いて、フィルタリングを行う。
【００８８】
なお、上述した第１の実施形態においては、間欠受信状態と非間欠受信状態の２種類の状態が存在したが、代わりに、長間欠受信状態と短間欠受信状態と非間欠受信状態の３種類の状態が存在する場合にも、本発明に係る移動局及び移動通信方法は適用されることができる。
【００８９】
例えば、長間欠受信状態と短間欠受信状態のそれぞれにおいて、それぞれの物理レイヤにおける測定区間に基づいて、上述したフィルタ係数の調整を行ってもよい。
【００９０】
また、上述した、第１の実施形態においては、サービングセル及び周辺セルにおける無線品質として、参照信号の受信電力（ＲＳＲＰ）が用いられたが、代わりに、ＲＳＲＱやＲＳ-ＳＩＲやＣＱＩが用いられてもよい。或いは、サービングセル及び周辺セルにおける無線品質として、ＲＳＲＰやＲＳＲＱやＲＳ-ＳＩＲやＣＱＩの少なくとも１つが用いられてもよい。
【００９１】
なお、ＲＳＲＱ（Ｒｅｆｅｒｅｎｃｅ  Ｓｉｇｎａｌ  Ｒｅｃｅｉｖｅｄ  ＱｕａｌｉｔｙＰｏｗｅｒ）とは、下りリンクの参照信号の受信電力を、下りリンクのＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値である。
【００９２】
ここで、ＲＳＳＩとは、移動局において観測されるトータルの受信レベルであり、熱雑音や他セルからの干渉電力、自セルからの希望信号の電力等の全てを含んだ受信レベルのことである。（ＲＳＲＱの定義については、３ＧＰＰ  ＴＳ３６.２１４、Ｖ８.３.０参照）。
【００９３】
また、ＲＳ-ＳＩＲとは、下りリンクの参照信号のＳＩＲ（Ｓｉｇｎａｌ-ｔｏ-Ｉｎｔｅｒｆｅｒｅｎｃｅ  Ｒａｔｉｏ）である。
【００９４】
また、ＣＱＩ（Ｃｈａｎｎｅｌ  Ｑｕａｌｉｔｙ  Ｉｎｄｉｃａｔｏｒ）とは、下りリンクの無線品質情報である（ＣＱＩの定義については、３ＧＰＰ  ＴＳ３６.２１３、Ｖ８.３.０参照）
【００９５】
（本発明の第１の実施形態に係る移動通信システムの作用・効果）
本発明の第１の実施形態に係る移動通信システムによれば、移動局ＵＥは、間欠受信状態である場合にも、間欠受信状態のために最適化されたフィルタ係数に相当する平均化区間でフィルタリングを行うことが可能となるため、移動局ＵＥが、適切なタイミングでネットワークに対して測定結果を報告し、通信断を起こすことなく通信を継続することができ、ネットワークにおける負荷や移動局ＵＥの消費電流の抑制、更にはユーザ利便性を向上することができる。
【００９６】
（変更例）
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００９７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１００】
ＵＥ…移動局
１１…状態管理部
１２…パラメータ取得部
１３…測定部
１４…フィルタリング部
１５…判定部
１６…通知部
ｅＮＢ…無線基地局
【図１】
2010226540.tif 000003
【図２】
2010226540.tif 000004
【図３】
2010226540.tif 000005
【図４】
2010226540.tif 000006
【図５】
2010226540.tif 000007
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
無線基地局と通信する移動局であって、
前記移動局におけるサービングセル及び周辺セルの無線品質の測定結果を、フィルタ係数を用いてフィルタリングするように構成されているフィルタリング部と、
前記フィルタリングされた測定結果を通知すべきであると判定された場合、該測定結果を前記無線基地局に対して通知するように構成されている通知部とを具備し、
前記フィルタリング部は、測定タイミングに関するインデックスを「ｎ」とし、フィルタリング後の測定結果を「Ｆｎ」とし、測定区間２００ｍｓ用の前記フィルタ係数を「ｋ」又は「ａ」とし、１つ前の測定タイミングにおけるフィルタリング後の測定結果を「Ｆｎ-１」とし、前記測定部における測定結果を「Ｍｎ」とした場合に、該フィルタ係数「ｋ」又は「ａ」を調整した後に、
Ｆｎ  ＝  （１−ａ）・Ｆｎ-１  ＋  ａ・Ｍｎ
ａ  ＝  １/２（ｋ/４）
に基づいて、前記フィルタリングを行うように構成されていることを特徴とする移動局。
【請求項２】
間欠受信状態における測定区間は、２００ｍｓよりも長いことを特徴とする請求項１に記載の移動局。
【請求項３】
前記フィルタリング部は、前記移動局が間欠受信状態である場合に、前記フィルタ係数「ｋ」を調整するように構成されていることを特徴とする請求項２に記載の移動局。
【請求項４】
前記フィルタリング部は、非間欠受信状態における前記フィルタリングされた測定結果と、間欠受信状態における前記フィルタリングされた測定結果とが、時間的な平均化区間で同等になるように、前記フィルタ係数を調整することを特徴とする請求項１に記載の移動局。
【請求項５】
前記フィルタリング部は、非間欠受信状態において、前記無線基地局から通知された前記フィルタ係数に基づいて、前記フィルタリングを行い、間欠受信状態において、前記調整された後のフィルタ係数に基づいて、前記フィルタリングを行うように構成されていることを特徴とする請求項１に記載の移動局。  
【請求項６】
前記フィルタリング部は、非間欠受信状態における前記測定部による測定期間が、間欠受信状態における前記測定部による測定期間よりも小さい場合に、間欠受信状態において前記フィルタリングを行わないように構成されていることを特徴とする請求項１に記載の移動局。
【請求項７】
移動局におけるサービングセル及び周辺セルの無線品質の測定結果を、フィルタ係数を用いてフィルタリングする工程Ａと、
前記フィルタリングされた測定結果を通知すべきであると判定された場合、該測定結果を無線基地局に対して通知する工程Ｂとを有し、
前記工程Ａにおいて、測定タイミングに関するインデックスを「ｎ」とし、フィルタリング後の測定結果を「Ｆｎ」とし、測定区間２００ｍｓ用の前記フィルタ係数を「ｋ」又は「ａ」とし、１つ前の測定タイミングにおけるフィルタリング後の測定結果を「Ｆｎ-１」とし、前記測定部における測定結果を「Ｍｎ」とした場合に、該フィルタ係数「ｋ」又は「ａ」を調整した後に、
Ｆｎ  ＝  （１−ａ）・Ｆｎ-１  ＋  ａ・Ｍｎ
ａ  ＝  １/２（ｋ/４）
に基づいて、前記フィルタリングを行うことを特徴とする移動通信方法。
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
無線基地局と通信する移動局であって、
前記移動局におけるサービングセル及び周辺セルの無線品質の測定結果を、フィルタ係数を用いてフィルタリングするように構成されているフィルタリング部と、
前記フィルタリングされた測定結果を通知すべきであると判定された場合、該測定結果を前記無線基地局に対して通知するように構成されている通知部とを具備し、
前記フィルタリング部は、測定タイミングに関するインデックスを「ｎ」とし、フィルタリング後の測定結果を「Ｆｎ」とし、測定区間２００ｍｓ用の前記フィルタ係数を「ｋ」又は「ａ」とし、１つ前の測定タイミングにおけるフィルタリング後の測定結果を「Ｆｎ-１」とし、前記測定部における測定結果を「Ｍｎ」とした場合に、該フィルタ係数「ｋ」又は「ａ」を調整した後に、
Ｆｎ  ＝  （１−ａ）・Ｆｎ-１  ＋  ａ・Ｍｎ
ａ  ＝  １/２（ｋ/４）
に基づいて、前記フィルタリングを行うように構成されており、
前記フィルタリング部は、非間欠受信状態における前記フィルタリングされた測定結果と、間欠受信状態における前記フィルタリングされた測定結果とが、時間的な平均化区間で同等になるように、前記フィルタ係数を調整することを特徴とする移動局。
【請求項２】
無線基地局と通信する移動局であって、
前記移動局におけるサービングセル及び周辺セルの無線品質の測定結果を、フィルタ係数を用いてフィルタリングするように構成されているフィルタリング部と、
前記フィルタリングされた測定結果を通知すべきであると判定された場合、該測定結果を前記無線基地局に対して通知するように構成されている通知部とを具備し、
前記フィルタリング部は、測定タイミングに関するインデックスを「ｎ」とし、フィルタリング後の測定結果を「Ｆｎ」とし、測定区間２００ｍｓ用の前記フィルタ係数を「ｋ」又は「ａ」とし、１つ前の測定タイミングにおけるフィルタリング後の測定結果を「Ｆｎ-１」とし、前記測定部における測定結果を「Ｍｎ」とした場合に、該フィルタ係数「ｋ」又は「ａ」を調整した後に、
Ｆｎ  ＝  （１−ａ）・Ｆｎ-１  ＋  ａ・Ｍｎ
ａ  ＝  １/２（ｋ/４）
に基づいて、前記フィルタリングを行うように構成されており、
前記フィルタリング部は、非間欠受信状態において、前記無線基地局から通知された前記フィルタ係数に基づいて、前記フィルタリングを行い、間欠受信状態において、前記調整された後のフィルタ係数に基づいて、前記フィルタリングを行うように構成されていることを特徴とする移動局。  
【請求項３】
無線基地局と通信する移動局であって、
前記移動局におけるサービングセル及び周辺セルの無線品質の測定結果を、フィルタ係数を用いてフィルタリングするように構成されているフィルタリング部と、
前記フィルタリングされた測定結果を通知すべきであると判定された場合、該測定結果を前記無線基地局に対して通知するように構成されている通知部とを具備し、
前記フィルタリング部は、測定タイミングに関するインデックスを「ｎ」とし、フィルタリング後の測定結果を「Ｆｎ」とし、測定区間２００ｍｓ用の前記フィルタ係数を「ｋ」又は「ａ」とし、１つ前の測定タイミングにおけるフィルタリング後の測定結果を「Ｆｎ-１」とし、前記測定部における測定結果を「Ｍｎ」とした場合に、該フィルタ係数「ｋ」又は「ａ」を調整した後に、
Ｆｎ  ＝  （１−ａ）・Ｆｎ-１  ＋  ａ・Ｍｎ
ａ  ＝  １/２（ｋ/４）
に基づいて、前記フィルタリングを行うように構成されており、
前記フィルタリング部は、非間欠受信状態における前記測定部による測定期間が、間欠受信状態における前記測定部による測定期間よりも小さい場合に、間欠受信状態において前記フィルタリングを行わないように構成されていることを特徴とする移動局。
【請求項４】
移動局におけるサービングセル及び周辺セルの無線品質の測定結果を、フィルタ係数を用いてフィルタリングする工程Ａと、
前記フィルタリングされた測定結果を通知すべきであると判定された場合、該測定結果を無線基地局に対して通知する工程Ｂとを有し、
前記工程Ａにおいて、測定タイミングに関するインデックスを「ｎ」とし、フィルタリング後の測定結果を「Ｆｎ」とし、測定区間２００ｍｓ用の前記フィルタ係数を「ｋ」又は「ａ」とし、１つ前の測定タイミングにおけるフィルタリング後の測定結果を「Ｆｎ-１」とし、前記測定部における測定結果を「Ｍｎ」とした場合に、該フィルタ係数「ｋ」又は「ａ」を調整した後に、
Ｆｎ  ＝  （１−ａ）・Ｆｎ-１  ＋  ａ・Ｍｎ
ａ  ＝  １/２（ｋ/４）
に基づいて、前記フィルタリングを行い、
前記工程Ａにおいて、非間欠受信状態における前記フィルタリングされた測定結果と、間欠受信状態における前記フィルタリングされた測定結果とが、時間的な平均化区間で同等になるように、前記フィルタ係数を調整することを特徴とする移動通信方法。
【請求項５】
移動局におけるサービングセル及び周辺セルの無線品質の測定結果を、フィルタ係数を用いてフィルタリングする工程Ａと、
前記フィルタリングされた測定結果を通知すべきであると判定された場合、該測定結果を無線基地局に対して通知する工程Ｂとを有し、
前記工程Ａにおいて、測定タイミングに関するインデックスを「ｎ」とし、フィルタリング後の測定結果を「Ｆｎ」とし、測定区間２００ｍｓ用の前記フィルタ係数を「ｋ」又は「ａ」とし、１つ前の測定タイミングにおけるフィルタリング後の測定結果を「Ｆｎ-１」とし、前記測定部における測定結果を「Ｍｎ」とした場合に、該フィルタ係数「ｋ」又は「ａ」を調整した後に、
Ｆｎ  ＝  （１−ａ）・Ｆｎ-１  ＋  ａ・Ｍｎ
ａ  ＝  １/２（ｋ/４）
に基づいて、前記フィルタリングを行い、
前記工程Ａにおいて、非間欠受信状態において、前記無線基地局から通知された前記フィルタ係数に基づいて、前記フィルタリングを行い、間欠受信状態において、前記調整された後のフィルタ係数に基づいて、前記フィルタリングを行うことを特徴とする移動通信方法。  
【請求項６】
移動局におけるサービングセル及び周辺セルの無線品質の測定結果を、フィルタ係数を用いてフィルタリングする工程Ａと、
前記フィルタリングされた測定結果を通知すべきであると判定された場合、該測定結果を無線基地局に対して通知する工程Ｂとを有し、
前記工程Ａにおいて、測定タイミングに関するインデックスを「ｎ」とし、フィルタリング後の測定結果を「Ｆｎ」とし、測定区間２００ｍｓ用の前記フィルタ係数を「ｋ」又は「ａ」とし、１つ前の測定タイミングにおけるフィルタリング後の測定結果を「Ｆｎ-１」とし、前記測定部における測定結果を「Ｍｎ」とした場合に、該フィルタ係数「ｋ」又は「ａ」を調整した後に、
Ｆｎ  ＝  （１−ａ）・Ｆｎ-１  ＋  ａ・Ｍｎ
ａ  ＝  １/２（ｋ/４）
に基づいて、前記フィルタリングを行い、
前記工程Ａにおいて、非間欠受信状態における前記測定部による測定期間が、間欠受信状態における前記測定部による測定期間よりも小さい場合に、間欠受信状態において前記フィルタリングを行わないことを特徴とする移動通信方法。